(57)【要約】      （修正有）【課題】雨に濡れるのを防止し、製品のしおりとなる機能を有する製品フォルダを提供する。【解決手段】二つ折りで折り畳まれた状態で、折れやすい製品を保持する矩形状のホルダ本体と、このホルダ本体の折曲部の内面両側に形成された製品の表表紙と裏表紙を挿入して保持するためのポケットと、これらポケットに覆いかぶさるようにホルダ本体の一辺に固着された透明なフラップとを備え、製品の見開き頁の上にこれらフラップが重なって製品をカバーするとともに、製品の特定頁に挟まれてしおりとなる。【選択図】図１
0003166378.tif 000002
【実用新案登録請求の範囲】
【請求項１】
二つ折りで折り畳まれた状態で、折れやすい製品を保持する矩形状のホルダ本体と、このホルダ本体の折曲部の内面両側に形成された製品の表表紙と裏表紙を挿入して保持するためのポケットと、これらポケットに覆いかぶさるようにホルダ本体の一辺に固着された透明なフラップとを備え、
製品の見開き頁の上にこれらフラップが重なって製品をカバーするとともに、製品の特定頁に挟まれてしおりとなるように構成した製品ホルダ。
【請求項２】
前記フラップがポケットよりも大きく形成されていることを特徴とする請求項１に記載の製品ホルダ。
【考案の詳細な説明】
【技術分野】
【０００１】
本考案は、ゴルフ用のスコアカード、ヤーデージブック、小冊子、手帳などの携帯する頻度が高く、折れ曲がり易い製品を保護する製品ホルダに関するものである。
【背景技術】
【０００２】
ゴルフ用のスコアカードのホルダとしては、連続板片を折り重ね、その間に二つ折りのスコアカードを挟んで携帯するものが一般的に用いられている。また、このスコアカードホルダは、主に連続板片の端部等の適当な位置に、スコアカードを保持するための止着部材が設けられているため、スコアカードが保持され、脱落することがない。このようなスコアカードホルダを使用すると、携帯時のスコアカードの折れ曲がりや破れを防止することができ、かつスコアカードホルダの適度な硬度により、スコアカードの記入を容易に行うことが可能となる。
【０００３】
しかし、ゴルフ場から貸与されるスコアカードホルダは、ロッカーキーが付属している場合や、スコアカードホルダ自体が大きい場合等、携帯性に劣るという問題点があった。スコアカードホルダは、衣服のポケットに入れて携帯されることが多いため、例えばプレイヤーが激しい動きを行った際、スコアカードホルダがポケットから落下することがある。また、ポケットがスコアカードホルダと同等の大きさである場合、スコアカードホルダはポケットから落下しにくくなるが、スコアカードを記入するなど、ポケットから取り出す必要がある際、スコアカードホルダがポケット内部に引っ掛かり、取り出しにくいという問題点があった。
【０００４】
ポケットからの落下を防止し、ポケットへの収納と取り出しも容易にし、外観も優れたホルダとして特許文献１（実用新案第３１５３９５５号公報）に記載のものが開発された。
【０００５】
特許文献１に記載されたホルダは、二つ折りで折り畳まれた状態で、折れやすい製品を保持する板状のホルダ本体と、ホルダ本体の製品を保持しない側の面に配設され、ポケットに係止するための挟み込み部材とを備え、ホルダ本体は、略同形同大の外側表皮材及び内側表皮材を有し、外側表皮材及び内側表皮材はその外周辺を重ねて縫合されており、略中央部に備えられた折り線によって折り畳まれ、挟み込み部材は、ホルダ本体から突出した可撓性の装飾部材と、装飾部材とホルダ本体とを当接させて係止する係止部材とを有し、装飾部材とホルダ本体との間にポケットを挟み込むように構成されたものである。
【０００６】
上述した従来の製品ホルダによれば、ホルダ本体から突出した装飾部材を有し、この装飾部材とホルダ本体の間でポケット布等を挟み込む構成であるため、ポケット内にホルダ本体を収納した状態であっても、装飾部材の全体がポケット外部に保持される。この装飾部材は様々なデザインとすることができ、ホルダ本体をポケットに収容できるとともに、外部に露見した装飾部がアクセサリーとして機能して、ファッション性の高い製品ホルダを提供することができる。さらに、ポケット外に突出した装飾部材の上部を手で保持することにより、容易に持ち上げることができるため、ポケット内に収納した場合であっても、ポケットからの取り出しが容易となる。このとき、可撓性の装飾部材を用いてポケットを挟み込むため、取り出しを容易に行うことができる。
【先行技術文献】
【特許文献】
【０００７】
【特許文献１】実用新案登録第３１５３９５５号公報
【考案の概要】
【考案が解決しようとする課題】
【０００８】
従来の製品ホルダでは、雨天時にポケットから取り出して製品を見ようとすると、製品が濡れるのを防止することはできず、かつ製品が複数頁にわたるもの、例えばゴルフ用のヤーデージブックでは、プレーし終わったホールの頁をめくり、次のホールの詳細なヤーデージの頁を開く必要があるが、「しおり」機能がないので、閉じた後に再び開くとき、目的の頁を迅速に見ることができないという欠点があった。
【０００９】
そこで、本考案は、雨天時でも製品を濡らさず、しおり機能により見たい頁をすぐに見ることのできる製品ホルダを提供することを目的とする。
【課題を解決するための手段】
【００１０】
上述の目的を達成するため、本考案は、二つ折りで折り畳まれた状態で、折れやすい製品を保持する矩形状のホルダ本体と、このホルダ本体の折曲部の内面両側に形成された製品の表表紙と裏表紙を挿入して保持するためのポケットと、これらポケットに覆いかぶさるようにホルダ本体の一辺に固着された透明なフラップとを備え、製品の見開き頁の上にこれらフラップが重なって製品をカバーするとともに、製品の特定頁に挟まれてしおりとなるように構成したものである。
【考案の効果】
【００１１】
本考案によれば、二つ折りで折り畳まれた状態で、折れやすい製品を保持する矩形状のホルダ本体と、このホルダ本体の折曲部の内面両側に形成された製品の表表紙と裏表紙を挿入して保持するためのポケットと、これらポケットに覆いかぶさるようにホルダ本体の一辺に固着された透明なフラップとを備え、製品の見開き頁の上にこれらフラップが重なって製品をカバーするとともに、製品の特定頁に挟まれてしおりとなるように構成したので、製品としてゴルファーがプレーしているゴルフ場のヤーデージブックの場合、ゴルファーが８番ホールをホールアウトし、９番ホールに向かうとき、ヤーデージブックも９番ホールの頁をめくって開くが、このとき雨が降っている状態では、開いたページが濡れてしまう。本考案では、フラップで当該頁を覆うので、その頁が濡れるのを防止できる。また、ホルダを閉じても現在見ている頁の個所にフラップが挟まれているので、フラップがしおりとなり、次にホルダを開いたときに目当ての頁をめくる必要がない。
【図面の簡単な説明】
【００１２】
【図１】本考案の実施形態を示す斜視図
【図２】製品をポケットに挿入する説明図
【図３】ヤーデージブックを開いてみるときの正面図
【図４】フラップ固着個所を変えた正面図
【考案を実施するための形態】
【００１３】
以下に、本考案の好適な実施形態について図面を参照にして説明する。
【００１４】
図１の実施形態では、二つ折りで折り畳まれた状態で、折れやすい製品、例えばヤーデージブック（製品）１０を保持するホルダ本体１を可撓性を有するプラスチック材料で矩形状に成形し、このホルダ本体１の折曲部１Ａの内面両側にポケット２を形成してある。これら２つのポケット２にヤーデージブック１０の表表紙と裏表紙を挿入して保持する。ホルダ本体１もポケット２も、ポリ塩化ビニル（ＰＶＣ）で形成し、ポケット２は透明、ホルダ本体１は着色ないし印刷されて不透明に形成してある。
【００１５】
前記ホルダ本体１とポケット２とは、別々の材料で成形してもよいし、プラスチック材料としては、ポリエチレン、ポリプロピレン、ポリエステル、ポリウレタン、ポリカーボネート、エチルビニル酢酸エステルが使用できる。なお、ポケット２は不透明であっても差し支えない。なお、プラスチック材料以外の材料で可撓性があるものであれば、ホルダ本体１とポケット２の成形材料として用いることができる。
【００１６】
図２は、ヤーデージブック１０をポケット２に挿入する状態の図であり、折曲部１Ａを向いた一辺にポケット２の挿入口があり、残りの三辺はホルダ本体１に固着（融着）してある。図２では、ポケット２に覆いかぶさるようにホルダ本体１の一辺に固着（融着）された透明なフラップ３が、固着個所をヒンジとしてめくられた状態を示す。このフラップ３も上述したと同様のプラスチック材料で成形される。なお、このフラップ３は、ポケット２よりも大きく形成され、ヤーデージブック１０の開かれた頁の大部分を覆うに足る大きさに形成される。
【００１７】
ヤーデージブック１０は、裏表に印刷されていない場合が多く、図３に示すように見開き２頁の一方の頁にのみ印刷され、この印刷面をフラップ３でカバーし、雨水などから保護する。また、この状態でホルダ本体１を折曲部１Ａで折り曲げて閉じても、次のホールに行く前にホルダ本体１を開くと、ホールアウトした直後のホールの頁がフラップ３のしおり機能によりすぐに見られ、頁をめくればすぐに次のホールの頁となる。また、プレー中のホールでも、何度も距離などを確認することがあり、ホルダ本体１を開けばすぐに目的の頁を見ることができる。
【００１８】
前記ホルダ本体１の表側には、文字や図形などを印刷し、外観を優れたものとすることもできるし、メーカーの宣伝にも使える。また、ヤーデージブック１０にゴルファーが書き込みをすることも多いので、ホルダ本体１は、所定の硬さを有し、書き込み時の下敷きとなるようにしておく。また、プロゴルファーの場合、専属のキャディがいることが多いので、キャディ用のホルダ本体１は厚手にし、選手用のホルダ本体１はショット時に少しでも体の動きを妨げることのないように薄くするのが好ましい。
【００１９】
前記フラップ３の固着個所は、矩形状のホルダ本体１の両辺のみならず、図４に示すように、上側の一辺であってもよい。この場合は、フラップ３を上にめくって製品１０に書き込みをすることができる。なお、一方のフラップ３は上側の一辺、他方のフラップは下側の一辺に固着しても差し支えない。
【符号の説明】
【００２０】
１    ホルダ本体
１Ａ  折曲部
２    ポケット
３    フラップ
１０  製品
【図１】
0003166378.tif 000003
【図２】
0003166378.tif 000004
【図３】
0003166378.tif 000005
【図４】
0003166378.tif 000006